【手続補正書】
【提出日】平成23年12月22日(2011.12.22)
【手続補正１】
【補正対象書類名】特許請求の範囲
【補正対象項目名】全文
【補正方法】変更
【補正の内容】
【特許請求の範囲】
【請求項１】
遊技球が予め設定された始動領域に進入すると、大当りか否かの当否判定を行い、該判定結果が大当りであれば、特別図柄を確定後、開閉可能に設けられた大入賞口の開放作動を複数ラウンド継続せしめて遊技者にとって賞球の獲得に有利な弾球遊技機において、
上記大入賞口の開放作動を、開放時間が長く賞球獲得可能な開放作動を１ラウンドとする第１の開放状態と、開放時間が短く賞球獲得可能性僅少な一度の開放作動を１ラウンドとする第２の開放状態と、開放時間が短く賞球獲得可能性僅少な開放作動を複数回繰り返して１ラウンドとする第３の開放状態とを設定し、
上記確定された特別図柄の種類によって、上記第１の開放状態と上記第２の開放状態とを組み合わせた第１の大当りパターン、第１、第２、第３の全ての開放状態を組み合わせた第２の大当りパターン、または第１の開放状態と上記第３の開放状態とを組み合わせた第３の大当りパターンのいずれかに開放状態を制御する大入賞口制御手段を具備し、
該大入賞口制御手段により、大当りの発生毎の上記大入賞口の開放作動が継続される総ラウンド数を一定とし、上記大入賞口の開放作動の開始ラウンドを、開放時間の短い上記第２の開放状態または第３の開放状態から始め、少なくとも最終ラウンドでは、開放時間の長い上記第１の開放状態を実行するように制御する弾球遊技機。
【請求項２】
請求項１記載の弾球遊技機において、
上記大入賞口制御手段は、上記第１の大当りパターンとして、大入賞口の開放作動の開始ラウンドから最終ラウンドの１回前のラウンドまで上記第２の開放状態を継続した後に、最終ラウンドに上記第１の開放状態を実行するように制御する弾球遊技機。
【請求項３】
請求項１記載の弾球遊技機において、
上記大入賞口制御手段は、上記第２の大当りパターンとして、大入賞口の開放作動の開始ラウンドから第２および第３の開放状態を複数ラウンド継続し、かつこれら第２の開放状態での開放作動の回数と第３の開放状態で開閉作動の回数との合計回数を上記総ラウンド数よりも一つ少ない回数とし、第２および第３の開放状態実行後、その次から最終ラウンドまで上記第１の開放状態を複数ラウンド断続するように制御する弾球遊技機。
【請求項４】
請求項１記載の弾球遊技機において、
上記大入賞口制御手段は、上記第３の大当りパターンとして、大入賞口の開放作動の開始ラウンドで、開放時間が短く賞球獲得可能性僅少な開放作動を上記総ラウンド数よりも一つ少ない回数繰り返して１ラウンドとする第３の開放状態を実行せしめ、上記開始ラウンド終了後、その次から最終ラウンドまで上記第１の開放状態を断続するように制御する弾球遊技機。
【手続補正２】
【補正対象書類名】明細書
【補正対象項目名】０００５
【補正方法】変更
【補正の内容】
【０００５】
請求項１の発明は、遊技球が予め設定された始動領域に進入すると、大当りか否かの当否判定を行い、該判定結果が大当りであれば、特別図柄を確定後、開閉可能に設けられた大入賞口の開放作動を複数ラウンド継続せしめて遊技者にとって賞球の獲得に有利な弾球遊技機において、上記大入賞口の開放作動を、開放時間が長く賞球獲得可能な開放作動を１ラウンドとする第１の開放状態と、開放時間が短く賞球獲得可能性僅少な一度の開放作動を１ラウンドとする第２の開放状態と、開放時間が短く賞球獲得可能性僅少な開放作動を複数回繰り返して１ラウンドとする第３の開放状態とを設定し、上記確定された特別図柄の種類によって、上記第１の開放状態と上記第２の開放状態とを組み合わせた第１の大当りパターン、第１、第２、第３の全ての開放状態を組み合わせた第２の大当りパターン、または第１の開放状態と上記第３の開放状態とを組み合わせた第３の大当りパターンのいずれかに開放状態を制御する大入賞口制御手段を具備し、該大入賞口制御手段により、大当りの発生毎の上記大入賞口の開放作動が継続される総ラウンド数を一定とし、上記大入賞口の開放作動の開始ラウンドを、開放時間の短い上記第２の開放状態または第３の開放状態から始め、少なくとも最終ラウンドでは、開放時間の長い上記第１の開放状態を実行するように制御する。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】変更
【補正の内容】
【００１０】
大当り中(特別遊技)に作動する大入賞口の開放作動を、開放時間の長短や１ラウンドで開放作動させる回数により条件の異なる第１ないし第３の開放状態を設定し、更にこれら複数の条件の異なる開放状態を組み合わせ、大当り中に大入賞口の開放作動が継続される総ラウンド数を一定として、開放作動の開始ラウンドを、開放時間の短い第２の開放状態または第３の開放状態から始め、少なくとも最終ラウンドでは、開放時間の長い上記第１の開放状態を実行する第１ないし第３の大当りパターンを設定したことにより、大当り遊技の開始段階では、遊技者はどの大当りパターンであるか判断しにくく、大当り遊技が進行するに従って賞球の獲得に有利なパターンであるかそうでないパターンであるか判るようになるので、賞球の獲得に対する遊技者の期待感を損なうことなくスリル感が増した多彩な大当りの遊技が実現でき、賞球の獲得に有利なパターンであるときの感激の度合いを高めることができる。
【手続補正８】
【補正対象書類名】明細書
【補正対象項目名】００１１
【補正方法】変更
【補正の内容】
【００１１】
請求項２の発明は、請求項１記載の弾球遊技機において、
上記大入賞口制御手段は、上記第１の大当りパターンとして、大入賞口の開放作動の開始ラウンドから最終ラウンドの一回前のラウンドまで上記第２の開放状態を継続した後に、最終ラウンドに上記第１の開放状態を実行するように制御する。
【手続補正９】
【補正対象書類名】明細書
【補正対象項目名】００１２
【補正方法】変更
【補正の内容】
【００１２】
請求項３の発明は、請求項１記載の弾球遊技機において、
上記大入賞口制御手段は、上記第２の大当りパターンとして、大入賞口の開放作動の開始ラウンドから第２および第３の開放状態を複数ラウンド継続し、かつこれら第２の開放状態での開放作動の回数と第３の開放状態で開閉作動の回数との合計回数を上記総ラウンド数よりも一つ少ない回数とし、第２および第３の開放状態実行後、その次から最終ラウンドまで上記第１の開放状態を複数ラウンド断続するように制御する。
【手続補正１０】
【補正対象書類名】明細書
【補正対象項目名】００１３
【補正方法】変更
【補正の内容】
【００１３】
請求項４の発明は、請求項１記載の弾球遊技機において、
上記大入賞口制御手段は、上記第３の大当りパターンとして、大入賞口の開放作動の開始ラウンドで、開放時間が短く賞球獲得可能性僅少な開放作動を上記総ラウンド数よりも一つ少ない回数繰り返して１ラウンドとする第３の開放状態を実行せしめ、上記開始ラウンド終了後、その次から最終ラウンドまで上記第１の開放状態を断続するように制御する。